(57)【要約】【課題】  半永久的に使用できるスポーツ用バインダーを提供すること。【解決手段】  上面に複数個の鋸歯等が形成された固定ベルトを、その内部に掛止突起が装着されたラチェット型バックルと締結する装置であって、固定ベルトの鋸歯一側は傾斜面を備え、他側はほぼ垂直面を備えて上記掛止突起が上記垂直面に引っ掛かる方式として、固定ベルトをバックルから離脱されないように固定し、上記バックルで締めつけると上記鋸歯等の間隔に沿って固定ベルトの長さを段階的に調節することができるバインダーにおいて；上記固定ベルトの傾斜面と同様であったり、又はそれよりさらに傾いた勾配面と、ほぼ垂直である直立面とが繰り返される凸凹形状のアンクルをプレス板金した後、上記アンクルをインサートし成形することによって上記直立面の上側一部が外部へ露出され上記バックルの掛止突起と直接結合されることを特徴とするスポーツ用固定ベルト。【選択図】  図４ａ
2005253943.tif 000002
【特許請求の範囲】
【請求項１】
上面に複数個の鋸歯等が形成された固定ベルトを、その内部に掛止突起が装着されたラチェット型バックルと締結する装置であって、固定ベルトの鋸歯一側は傾斜面を備え、他側はほぼ垂直面を備えて上記掛止突起が上記垂直面に引っ掛かる方式として、固定ベルトをバックルから離脱されないように固定し、上記バックルで締めつけると上記鋸歯等の間隔に沿って固定ベルトの長さを段階的に調節することができるバインダーにおいて；
上記固定ベルトの傾斜面と同様であったり、又はそれよりさらに傾いた勾配面と、ほぼ垂直である直立面とが繰り返される凸凹形状のアンクルをプレス板金した後、上記アンクルをインサートし成形することによって上記直立面の上側一部が外部へ露出され上記バックルの掛止突起と直接結合されることを特徴とするスポーツ用固定ベルト。
【請求項２】
上記勾配面に複数個の穴を穿孔して上記アンクルの上下面が相互に連通され、上記穴を介して上記アンクルが上記固定ベルトに堅固に固定されることを特徴とする請求項１に記載のスポーツ用固定ベルト。
【請求項３】
上記固定ベルトはポリウレタン材質で射出成形されて上記勾配面を内側へ湾曲させ、上記アンクルの上面に上記ポリウレタンがさらに厚く積層できることを特徴とする請求項１又は２に記載のスポーツ用固定ベルト。
【請求項４】
上面に複数個の鋸歯が形成された固定ベルトを、その内部に掛止突起が装着されたラチェット型バックルと締結する装置であって、固定ベルトの鋸歯一側は傾斜面を備え、他側はほぼ垂直面を備え上記掛止突起が上記垂直面に引っ掛かる方式として固定ベルトをバックルから離脱されないように固定し、上記バックルを締めつけると上記鋸歯等の間隔に沿って固定ベルトの長さを段階的に調節することができるバインダーにおいて；
上記固定ベルトの傾斜面と一致できるように傾いた勾配面と、ほぼ垂直である直立面とが繰り返される凸凹形状のアンクルをプレス板金した後、上記アンクルをインサートし射出成形することによって、上記勾配面の一側を内側のほうに折曲して所定の空間を形成し、その中央部分に穴を形成することによって上記穴を介してアンクルの上下面が連通されると同時に、上記折曲部の内部空間に射出物が充填されることによって、アンクルを固定ベルトに堅固に固定させることを特徴とするスポーツ用固定ベルト。
【請求項５】
上面に複数個の鋸歯が形成された固定ベルトを、その内部に掛止突起が装着されたラチェット型バックルと締結する装置であって、固定ベルトの鋸歯一側は傾斜面を備え、他側はほぼ垂直面を備えて上記掛止突起が上記垂直面に引っ掛かる方式で固定ベルトをバックルから離脱されないように固定し、上記バックルで締め付けると上記鋸歯等の間隔に沿って固定ベルトの長さを段階的に調節することができるバインダーにおいて；
上面は上記傾斜面と垂直面とに各々一致する形状で勾配面と直立面とが繰り返されて形成され、上記勾配面と直立面とが上記バックルの掛止突起と結合される磨耗防止部を別度に成形し、その磨耗防止部を上記ベルトの中央一側に具備することを特徴とするスポーツ用固定ベルト。
【請求項６】
上記磨耗防止部をインサート射出して上記固定ベルトを成形し、上記磨耗防止部の勾配面に複数個の結合溝を成形することによって上記結合溝に対応される部分に結合棒が固定ベルトと一体に形成され、結合棒と結合溝とが結合されることを特徴とする請求項５に記載のスポーツ用固定ベルト。
【請求項７】
上記磨耗防止部の前端及び後端に各々結合顎を備えて上記磨耗防止部が上記固定ベルトにインサートされることを特徴とする請求項５又は６に記載のスポーツ用固定ベルト。
【請求項８】
上記固定ベルトはポリウレタン材質で成形され、上記磨耗防止部はポリプロピレンのようなプラスチックで成形されることを特徴とする請求項５又は６に記載のスポーツ用固定ベルト。
【発明の詳細な説明】
【技術分野】
【０００１】
本発明は、スポーツ用固定ベルトに関したものとして、さらに詳細には、スポーツ用バインダーの着用の際にバックルで締められ固定ベルトの鋸歯の間隔に沿って段階的に締め付けられることによってブーツをバインダーに固定させる固定ベルトにおいて、繰り返して使用することによって固定ベルト上の鋸歯状の面が磨耗されることを防ぐために磨耗防止部とをさらに含んでなされるスポーツ用の固定ベルトに関する。
【背景技術】
【０００２】
スポーツ用バインダーの固定ベルトには様々な種類があるが、本発明ではポリウレタン材質で成形されてその上面が鋸歯状に形成された固定ベルトがバックルの内側へ挿入され、固定ベルトを締めつけることによりバックルが鋸歯を一つずつ移動し相互に咬合し固定されるベルトに関したものであり、このような鋸歯状の固定ベルトはスノーボード、スキー、ローラースケート、インラインスケートなどのような分野に適用され得るものとして、説明の便宜上の例として、スノーボード用バインダーの固定ベルトとして取り上げた。
【０００３】
一般的に、スノーボードに乗る利用者らはブーツをスノーボード用バインダーに固定させるが、その固定方法は、使用者がバインダーの内部にブーツを安着させ、バックルを調整してベルトの鋸歯状面にしっかりと締めつけられ着用する。従って、使用者がブーツをバインダーに固定させてから始めてスノーボードに乗られるようになる。
【０００４】
図１においては従来のスポーツ用バインダーの構成が、図２においては固定ベルトの構成が示されている。固定ベルトの一端には結合孔１０が形成されていてバインダーの所定位置に固定手段によって常時固定された状態として結合され、他端はラチェット型バックル２０の内側へ挿入され、使用者の足サイズに合わせてベルトが締めつけられる。そして、ベルト３０の上面は鋸歯状４０に成形されているため、使用者がバックル２０の調整でベルトが締め付けられ鋸歯等４０がかみあいベルト３０が締められて使用者の足はバインダーの内部に固定される。
【０００５】
従来の固定ベルト３０は、長期に渡って使用者がスノーボードに乗ることによって、バックル２０により使用者のブーツを固定させた特定部位の鋸歯状の部分が集中的に磨耗されるようになる。普段、レンタル用のバインダーにおいては使用者の足や足首のサイズによって固定される鋸歯状の部分における差異があり得るが、レンタル用や個人用のバインダー両方とも、特定部位の鋸歯状の部分だけ磨耗され固定力が劣るという問題点があった。
【０００６】
このように、固定力の劣ったベルトでバインダーを着用してスノーボードに乗る場合、使用者の足がスノーボードに完璧に固定されない為、使用者は不安感を覚え、思い切りスノーボードのスピードを出すことができない。特に、事故で使用者の足がバインダーから離脱される場合には大型の事故を起こす恐れがあるという問題点もあった。
【０００７】
したがって、磨耗されたベルトは、再び元の固定力を維持することができるように周期的に新しいものに交換し使用された。しかし、磨耗された部分は鋸歯面における３〜４個の部位だけであるにもかかわらず、磨耗されていない残り部分まで交換しなければならなかったため、経済的でも、資源の有効活用面においても非効率的であるという問題点があった。
【発明の開示】
【発明が解決しようとする課題】
【０００８】
本発明の目的は、前述した問題点を解決するために、バックルと頻繁に接触するベルトの鋸歯状の部分が簡単に磨耗できないよう磨耗防止部をさらに形成することによって半永久的に使用できるスポーツ用バインダーを提供することにある。
【課題を解決するための手段】
【０００９】
前述した目的を達成するための本発明の特徴によると、本発明は上面に複数個の鋸歯らが形成された固定ベルトを内部に掛止突起が装着されたラチェット型のバックルと締結する装置として、固定ベルトの鋸歯の一側は傾斜面を備え、鋸歯の他側はほぼ垂直である面を備えて上記掛止突起が上記垂直面に引っ掛かる方式とし固定ベルトをバックルから離脱されないように固定し、上記バックルを締めつけると上記鋸歯らの間隔に沿って固定ベルトの長さを段階的に調節することができるバインダーにおいて；上記固定ベルトの傾斜面と同様であったり、又はこれよりもっと傾いた勾配面とほぼ垂直の直立面とが繰り返され凸凹状のアンクルをプレス板金した後、上記アンクルをインサートして成形することによって上記直立面の上側の一部が露出され上記バックルの掛止突起と直接結合される。
【００１０】
上記勾配面に、複数個の穴を穿孔し上記アンクルの上下面が連通され上記穴を介して上記アンクルが固定ベルトに堅固に固定される。
【００１１】
上記固定ベルトはポリウレタン材質にて射出されて上記勾配面を内側の方に湾曲し、上記アンクルの上面に上記ポリウレタンがさらに厚く積層される。
【００１２】
本発明の他の特徴は、上面に複数の鋸歯等が形成された固定ベルトを、内部に掛止突起が装着されたラチェット型のバックルと締結する装置として、固定ベルトの鋸歯の一側は傾斜面を備え、鋸歯等の他側はほぼ垂直である面を備えて上記掛止突起が上記垂直面に引っ掛かる方式で固定ベルトをバックルから離脱できないように固定し、上記バックルを締め付けると上記鋸歯等の間隔に沿って固定ベルトの長さを段階的に調節することができるバインダーにおいて；上記固定ベルトの傾斜面と一致できるように傾いた勾配面とほぼ垂直の直立面とが繰り返される凸凹状のアンクルをプレス板金してから、上記アンクルをインサートし射出成形することによって上記勾配面の一側を内側方向に折曲し所定の空間を形成し、その中央部分に穴を成形してその穴を介してアンクルの上下面が連通されると同時に上記折曲部の内部空間に射出物が充填されることによってアンクルを固定ベルトに堅固に固定する。
【００１３】
本発明のさらに他の特徴は、上面に複数個の鋸歯が形成された固定ベルトを内部に掛止突起が装着されたラチェット型のバックルと締結する装置として、固定ベルトの鋸歯の一側は傾斜面を備え、鋸歯の他側はほぼ垂直である面を備えて上記掛止突起が上記垂直面に引っ掛かる方式とし固定ベルトをバックルから離脱されないように固定し、上記バックルを締め付けると上記鋸歯等の間隔に沿って固定ベルトの長さを段階的に調節することができるバインダーにおいて；上面は上記傾斜面と垂直面とが各々一致する形状で勾配面と直立面とが繰り返し形成され上記勾配面と直立面とが上記バックルの掛止突起と結合される磨耗防止部を別度に成形し上記ベルトの中央一側に具備する。
【００１４】
上記磨耗防止部をインサート射出して上記固定ベルトを成形し上記磨耗防止部の勾配面に複数個の結合溝を成形することによって、上記結合溝に対応される部分に結合棒が固定ベルトと一体に形成され結合溝と結合される。
【００１５】
上記磨耗防止部の前端と後端に各々結合顎を具備し上記磨耗防止部が上記固定ベルトにインサートされる。
【００１６】
上記固定ベルトはポリウレタン材質で成形され、上記磨耗防止部はポリプロピレンのようなプラスチックで成形される。
【００１７】
このような構成を持つ本発明によるスポーツ用バインダーの固定ベルトであれば、固定ベルトを交換せず半永久的に使用できる為、材料費の低減の効果が期待できる。
【発明の効果】
【００１８】
以上のように、本発明の構成によれば以下のような効果が期待できる。
【００１９】
バックルと頻繁に接触する部分だけを磨耗防止部として補強する機能を行って、消費者のニーズを満たすと共に、製品に対する高い信頼性及び満足感を提供することができる。
【００２０】
また、固定ベルトを交換せずに半永久的に使用することができるため、材料コストを節減させる効果をも奏する。
【発明を実施するための最良の形態】
【００２１】
以下、上記のような構成を持つ本発明によるスポーツ用バインダーの固定ベルトの望ましい実施例を添付の図面を参照としながら詳細に説明する。
【００２２】
図３は、スポーツ用バインダーの構成が斜視図として示されている。図３に示されたように、上記前軸固定ベルト１００ａ及び後軸固定ベルト１００ｂの上面全体には複数個の鋸歯からなる鋸歯状の部分１１０が形成され、前軸ストラップ１２０ａ及び後軸ストラップ１２０ｂの上面一側にはラチェット型バックル１３０が装着され、前軸固定ベルト１００ａ及び後軸固定ベルト１００ｂがラチェット型バックル１３０により各々前軸ストラップ１２０ａ及び後軸ストラップ１２０ｂに各々締結し固定される。
【００２３】
以下、固定ベルトの望ましい実施例に対して添付図面を参考とし詳細に説明する。図４ａ乃至図６ｃには本発明による固定ベルトの望ましい実施例が多様に図示されている。
【００２４】
本発明において、固定ベルト１００の一端は結合孔１０２を備えバインダーと結合されるが、他端は進入部１０４が形成されていてラチェット型バックル１３０を通りぬけ、中央上面に複数の鋸歯状部１０６が形成されて上記ラチェット型バックル１３０と直接結合される。
【００２５】
上記鋸歯１０６は、進入部に向かって行けば行くほど上向きに傾斜され傾き、ラチェット型バックル１３０が段階的に締め付けられる傾斜面１０６ａとラチェット型バックル１３０の掛止突起（図示せず）とが相接し、ラチェット型バックル１３０が後退されないようにストーパの役割を果たす垂直面１０６ｂから構成され、上記傾斜面１０６ａと垂直面１０６ｂとの境界面１０６ｃはバックル１３０の円滑な移動を促進するように丸く成されている。
【００２６】
従来に固定ベルトをポリウレタン材質にて成形し、それを分離可能な形態に、例えば二つ乃至三つに製作して各々を固定ピンなどのような連結手段で締結する。また、ポリウレタン材質は簡単に磨耗されるので、これらの中でバックルと主に接触される中央部分だけを適切な時期に交換する方法で鋸歯状の部分が磨耗されるのを解決した。この方法を得るために、本出願人は韓国特許出願第２００３−４５１３４号（日本特許出願第２００３−２０６０８７）で出願したことがある。
【００２７】
しかし、バックルと頻繁に締結される中央部分のみを、摩擦に強い材質や形態などに構成すれば、態々交換可能に生産し組み立てる必要がないのである。
【００２８】
図４ａ及び図４ｂには固定ベルト内部に鋸歯状部分の表面における耐久性を向上させるために、金属材の薄板をインサートさせた第１実施例による固定ベルトの構成が斜視図と断面図として示されている。
【００２９】
まず、鉄板を所定長さの金属材薄板で切断してから、金属材薄板を勾配面１４０ａと直立面１４０ｂとが繰り返される凸凹形状にプレスしてアンクル１４０を形成する。この時、アンクルの勾配面は、固定ベルト１００の傾斜面よりさらに傾き、かつ内側の方にある程度湾曲されている。
【００３０】
勾配面１４０ａと直立面１４０ｂとが相接する境界面は上記固定ベルトの境界面１０６ｃに対応できるように丸くなっている。そして、勾配面１４０ａには第一穴１４２が左右対称に複数個形成されている。
【００３１】
したがって、アンクル１４０をインサートした後、ポリウレタンを射出し固定ベルト１００が成形されると、勾配面１４０ａの湾曲部分に所定のポリウレタンが積層されるようになり、ポリウレタンが上記第１穴１４２を介してアンクル１４０の上下面を連通するためアンクル１４０が固定ベルト１００の上下面に堅固に固定される。
【００３２】
特に、アンクル１４０における直立面１４０ｂの上側は、ラチェット型バックル１３０の掛止突起（図示せず）と直接締結される部分であるため、磨耗が他の部分と比べよく生じられる。
【００３３】
従って、直立面１４０ｂの上側において、その一定部分が固定ベルト１００の外部へ露出されるように成形することが望ましい。
【００３４】
図５ａ及び５ｂには第１実施例とは異なって、金属材薄板の勾配面を折曲しなされた第２実施例による固定ベルトの構成が斜視図と断面図とし各々示されてあり、図５ｃには金属材薄板の構成が斜視図として示されている。
【００３５】
第２実施例は、切断された金属材薄板を勾配面１５０ａと直立面１５０ｂとが繰り返される凸凹形状にプレス板金したことは第１実施例と同様である。但し、勾配面１５０ａは第２実施例とは異なって固定ベルト１００の傾斜面１０６ａと一致されるように傾いて形成され、勾配面１５０ａを内側に折曲しその中央部分に第２穴１５２を形成する。
【００３６】
従って、上記第２穴１５２を介してアンクル１５０の上下部が連通され上記折曲部の内部へポリウレタン射出物が充填されることによってアンクル１５０を固定ベルトに堅固に固定する役割を果たすことになる。
【００３７】
第１及び第２実施例のように、金属材薄板でプレス板金されたアンクルが固定ベルトの内部にインサートされたまま、その一部だけが鋸歯の直立面に露出されているため、外見を損なわないながらもバックルとの接触による摩擦を最大限に防ぐことができる。
上記と異なる他の方式は、耐久性の優れた磨耗防止部を固定ベルトの中央一側に別度に形成することである。
【００３８】
図６ａ及び図６ｂには、固定ベルトの中央部分に磨耗性の優れた材質を補強することによって交換せずに半永久的に使用することができる第３実施例による固定ベルトの構成が斜視図と断面図として各々示されている。また、図６ｃには磨耗防止部の構成が斜視図に示されている。
【００３９】
即ち、ポリプロピレンなどのようなプラスチック材質の磨耗防止部１６０を別度に形成してから、上記磨耗防止部１６０をインサートしたまま、ポリウレタン射出成形し固定ベルト１００を製作する。
【００４０】
上記磨耗防止部１６０上には上記固定ベルト１００の傾斜面１０６ａと垂直面１０６ｂとに対応される部分に勾配面１６０ａと直立面１６０ｂとが各々備えていてバックル１３０の掛止突起とよく接触する。
【００４１】
この時、磨耗防止部１６０が固定ベルト１００に堅固に結合できるように上記磨耗防止部１６０には結合溝１６２を成形することによって上記結合溝１６２に対応される固定ベルトには結合棒１０８が形成される。そして、上記磨耗防止部１６０の前端と後端とに各々結合顎が形成され、磨耗防止部１６０が固定ベルト１００に一層堅固に結合される。
【００４２】
本実施例では磨耗防止部１６０が四角形状になっているが、必ずしもそのような形状に限られているのではなく、かつ合成樹脂材質の磨耗防止部１６０がポリウレタン材質の固定ベルト１００に安着されて磨耗防止部１６０と固定ベルト１００とが結合され磨耗が防止できる形状であるならば、四角形状の以外の如何なる形状であっても構わない。
【００４３】
したがって、第３実施例の場合、固定力を受ける部位がポリプロピレンなどのようなプラスチック材質であるため、従来のポリウレタン材質のベルトより剛性が優れて一層固定力がよくなり、その耐久性もさらに増加できるので、大変効課高いのである。
【００４４】
前述したように、本発明はラチェット型バックルと頻繁に相接する固定ベルトの一側において勾配面と直立面とが繰り返されるが、凸凹形状のアンクルをインサートし射出成形することによって、耐久性と磨耗性とが優れた磨耗防止部をさらに構成することを技術的な思想としていることが分かる。
【００４５】
このような本発明の基本的な技術的思想の範囲内で、当業者の通商の知識を持つものにおいては、他に色々な変形が可能であろう。
【００４６】
例えば、本発明では、説明の便宜上、スノウボードのバインダーに使用されるポリウレタン材質の鋸歯面を持つ固定ベルトを例に挙げているが、その他、スポーツ分野のみならず他の分野においても本発明の技術的範囲を害しない範囲内で多様な変形や応用が可能である。
【産業上の利用可能性】
【００４７】
以上のように、本発明の構成によれば、バックルと頻繁に接触する部分だけを磨耗防止部として補強する機能を行って、消費者のニーズを満たすと共に、製品に対する高い信頼性及び満足感を提供することができるため、スポーツ用の固定ベルト等として有用である。
【図面の簡単な説明】
【００４８】
【図１】従来技術によるスポーツ用バインダーの固定ベルトとストラップの構成を示す斜視図。
【図２】従来技術によるスポーツ用バインダーの固定ベルトの構成を示す斜視図。
【図３】本発明によるスポーツ用バインダーの構成を示す斜視図。
【図４ａ】図４ａは、本発明による固定ベルト内部に鋸歯部表面の耐久性を向上させるために金属材の薄板を挿入させた第１実施例の斜視図。
【図４ｂ】図４ｂは、本発明による固定ベルト内部に鋸歯部表面の耐久性を向上させるために金属材の薄板を挿入させた第１実施例の断面図。
【図４ｃ】図４ｃは金属材薄板の構成を示す斜視図。
【図５ａ】図５ａは、本発明による固定ベルト内部に他の形態の金属材の薄板を挿入させた第２実施例の斜視図。
【図５ｂ】図５ｂは、本発明による固定ベルト内部に他の形態の金属材の薄板を挿入させた第２実施例の断面図。
【図５ｃ】図５ｃは金属材薄板の構成を示す斜視図。
【図６ａ】図６ａは、本発明による固定ベルトの中央部分に磨耗性の優れた磨耗防止部をさらに含む第３実施例の斜視図。
【図６ｂ】図６ｂは、本発明による固定ベルトの中央部分に磨耗性の優れた磨耗防止部をさらに含む第３実施例の断面図。
【図６ｃ】図６ｃは磨耗防止部の構成を示す斜視図。
【符号の説明】
【００４９】
１００  固定ベルト
１０２  結合孔
１０４  進入部
１０６  鋸歯
１０６ａ  傾斜面
１０６ｂ  垂直面
１０６ｃ  境界面
１０８  結合棒
１１０  鋸歯部
１２０  ストラップ
１３０  ラチェット型バックル
１４０、１５０  アンクル
１４０ａ，  １５０ａ、１６０ａ  勾配面
１４０ｂ、１５０ｂ、１６０ｂ  直立面
１６０  磨耗防止部
１６２  結合溝
１６４、１６６  結合顎
【図１】
2005253943.tif 000003
【図２】
2005253943.tif 000004
【図３】
2005253943.tif 000005
【図４ａ】
2005253943.tif 000006
【図４ｂ】
2005253943.tif 000007
【図４ｃ】
2005253943.tif 000008
【図５ａ】
2005253943.tif 000009
【図５ｂ】
2005253943.tif 000010
【図５ｃ】
2005253943.tif 000011
【図６ａ】
2005253943.tif 000012
【図６ｂ】
2005253943.tif 000013
【図６ｃ】
2005253943.tif 000014